(57)【要約】【課題】複数の画像領域にそれぞれ複数の画像処理を施した画像データを簡易な構成で得ることができる技術を提供する。【解決手段】本発明の画像処理装置は、第１種別の画像が第１領域に配置された第１画像データと、第２種別の画像が第２領域に配置された第２画像データと、を取得する第１取得手段と、第１種別の画像の各画素値を第１変換特性に基づいて変換することにより第１処理画像データを生成する第１画像処理と、第２種別の画像の各画素値を第２変換特性に基づいて変換することにより第２処理画像データを生成する第２画像処理と、を順に行う画像処理手段と、第１処理画像データと第２処理画像データとを合成することにより、第１画像処理が施された後の第１種別の画像と第２画像処理が施された後の第２種別の画像とが配置された合成画像データを生成する合成手段と、を有する。【選択図】図１
2016130936.tif 000002
【特許請求の範囲】
【請求項１】
第１種別の画像が第１領域に配置された第１画像データと、第２種別の画像が第２領域に配置された第２画像データと、を取得する第１取得手段と、
前記第１画像データに含まれる前記第１種別の画像の各画素値を第１変換特性に基づいて変換することにより第１処理画像データを生成する第１画像処理と、前記第２画像データに含まれる前記第２種別の画像の各画素値を第２変換特性に基づいて変換することにより第２処理画像データを生成する第２画像処理と、を順に行う画像処理手段と、
前記第１処理画像データと前記第２処理画像データとを合成することにより、前記第１画像処理が施された後の前記第１種別の画像と前記第２画像処理が施された後の前記第２種別の画像とが配置された合成画像データを生成する合成手段と、
を有することを特徴とする画像処理装置。
【請求項２】
前記第１画像処理と前記第２画像処理は、画像データの各階調値を変換する階調変換処理である
ことを特徴とする請求項１に記載の画像処理装置。
【請求項３】
前記第１取得手段は、前記第１画像データと前記第２画像データをその順番で取得し、
前記画像処理装置は、前記第１画像データと前記第２画像データの取得順序に応じて、前記第１取得手段で取得された画像データが前記第１画像データであるか前記第２画像データであるかを判定する判定手段、をさらに有する
ことを特徴とする請求項１または２に記載の画像処理装置。
【請求項４】
前記第１取得手段は、取得した画像データ毎に、その画像データが第１画像データであるか第２画像データであるかを示す種別情報をさらに取得し、
前記画像処理装置は、前記第１取得手段で取得された画像データ毎に、その画像データに対応する種別情報に応じて、当該画像データが前記第１画像データであるか前記第２画像データであるかを判定する判定手段、をさらに有する
ことを特徴とする請求項１または２に記載の画像処理装置。
【請求項５】
前記種別情報は、画像データの各画素値を変換する際に考慮すべき変換特性が前記第１変換特性であるか前記第２変換特性であるかを示し、
前記判定手段は、前記種別情報によって示された変換特性が前記第１変換特性である場合に、前記第１取得手段で取得された画像データが前記第１画像データであると判定し、前記種別情報によって示された変換特性が前記第２変換特性である場合に、前記第１取得手段で取得された画像データが前記第２画像データであると判定する
ことを特徴とする請求項４に記載の画像処理装置。
【請求項６】
入力画像データを取得する第２取得手段をさらに有し、
前記第１取得手段は、前記第２取得手段で取得された前記入力画像データから前記第１画像データと前記第２画像データを生成する
ことを特徴とする請求項１または２に記載の画像処理装置。
【請求項７】
前記第２取得手段は、前記第１領域と前記第２領域を示す領域情報をさらに取得し、
前記第１取得手段は、前記第２取得手段で取得された前記領域情報に基づいて、前記入力画像データから前記第１画像データと前記第２画像データを生成する
ことを特徴とする請求項６に記載の画像処理装置。
【請求項８】
前記入力画像データに基づいて、前記入力画像データが表す画像である入力画像の領域からモノクロ領域とカラー領域の少なくとも一方を検出する検出手段をさらに有し、
前記第１取得手段は、前記検出手段の検出結果に基づいて、前記入力画像データから、前記モノクロ領域を少なくとも含む画像領域が前記第１領域である第１画像データと、前記カラー領域を少なくとも含む画像領域が前記第２領域である第２画像データと、を生成する
ことを特徴とする請求項６に記載の画像処理装置。
【請求項９】
前記検出手段は、前記モノクロ領域を検出し、
前記第１取得手段は、前記モノクロ領域が前記第１領域である第１画像データと、前記モノクロ領域以外の画像領域が前記第２領域である第２画像データと、を生成する
ことを特徴とする請求項８に記載の画像処理装置。
【請求項１０】
前記検出手段は、前記カラー領域を検出し、
前記第１取得手段は、前記カラー領域以外の画像領域が前記第１領域である第１画像データと、前記カラー領域が前記第２領域である第２画像データと、を生成する
ことを特徴とする請求項８に記載の画像処理装置。
【請求項１１】
前記第１画像データでは、前記第１領域以外の画像領域の画素値が所定値であり、
前記第２画像データでは、前記第２領域以外の画像領域の画素値が前記所定値であり、
前記合成手段は、画素毎に前記第１処理画像データの画素値と前記第２処理画像データの画素値とを足し合わせることにより、前記合成画像データを生成する
ことを特徴とする請求項１〜１０のいずれか１項に記載の画像処理装置。
【請求項１２】
前記所定値は、黒色の画素値である
ことを特徴とする請求項１１に記載の画像処理装置。
【請求項１３】
請求項１〜１２のいずれか１項に記載の画像処理装置と、
前記合成画像データに基づく画像を表示する表示部と、
を有することを特徴とする画像表示装置。
【請求項１４】
第１種別の画像が第１領域に配置された第１画像データと、第２種別の画像が第２領域に配置された第２画像データと、を取得する第１取得ステップと、
前記第１画像データに含まれる前記第１種別の画像の各画素値を第１変換特性に基づいて変換することにより第１処理画像データを生成する第１画像処理と、前記第２画像データに含まれる前記第２種別の画像の各画素値を第２変換特性に基づいて変換することにより第２処理画像データを生成する第２画像処理と、を順に行う画像処理ステップと、
前記第１処理画像データと前記処理第２画像データとを合成することにより、前記第１画像処理が施された後の前記第１種別の画像と前記第２画像処理が施された後の前記第２種別の画像とが配置された合成画像データを生成する合成ステップと、
を有することを特徴とする画像処理方法。
【請求項１５】
前記第１画像処理と前記第２画像処理は、画像データの各階調値を変換する階調変換処理である
ことを特徴とする請求項１４に記載の画像処理方法。
【請求項１６】
前記第１取得ステップでは、前記第１画像データと前記第２画像データをその順番で取得し、
前記画像処理方法は、前記第１画像データと前記第２画像データの取得順序に応じて、前記第１取得ステップで取得された画像データが前記第１画像データであるか前記第２画像データであるかを判定する判定ステップ、をさらに有する
ことを特徴とする請求項１４または１５に記載の画像処理方法。
【請求項１７】
前記第１取得ステップでは、取得した画像データ毎に、その画像データが第１画像データであるか第２画像データであるかを示す種別情報をさらに取得し、
前記画像処理方法は、前記第１取得ステップで取得された画像データ毎に、その画像データに対応する種別情報に応じて、当該画像データが前記第１画像データであるか前記第２画像データであるかを判定する判定ステップ、をさらに有する
ことを特徴とする請求項１４または１５に記載の画像処理方法。
【請求項１８】
前記種別情報は、画像データの各画素値を変換する際に考慮すべき変換特性が前記第１変換特性であるか前記第２変換特性であるかを示し、
前記判定ステップでは、前記種別情報によって示された変換特性が前記第１変換特性である場合に、前記第１取得ステップで取得されたが前記第１画像データであると判定し、前記種別情報によって示された変換特性が前記第２変換特性である場合に、前記第１取得ステップで取得されたが前記第２画像データであると判定する
ことを特徴とする請求項１７に記載の画像処理方法。
【請求項１９】
入力画像データを取得する第２取得ステップをさらに有し、
前記第１取得ステップでは、前記第２取得ステップで取得された前記入力画像データから前記第１画像データと前記第２画像データを生成する
ことを特徴とする請求項１４または１５に記載の画像処理方法。
【請求項２０】
前記第２取得ステップでは、前記第１領域と前記第２領域を示す領域情報をさらに取得し、
前記第１取得ステップでは、前記第２取得ステップで取得された前記領域情報に基づいて、前記入力画像データから前記第１画像データと前記第２画像データを生成する
ことを特徴とする請求項１９に記載の画像処理方法。
【請求項２１】
前記入力画像データに基づいて、前記入力画像データが表す画像である入力画像の領域からモノクロ領域とカラー領域の少なくとも一方を検出する検出ステップをさらに有し、
前記第１取得ステップでは、前記検出ステップの検出結果に基づいて、前記入力画像データから、前記モノクロ領域を少なくとも含む画像領域が前記第１領域である第１画像データと、前記カラー領域を少なくとも含む画像領域が前記第２領域である第２画像データと、を生成する
ことを特徴とする請求項１９に記載の画像処理方法。
【請求項２２】
前記検出ステップでは、前記モノクロ領域を検出し、
前記第１取得ステップでは、前記モノクロ領域が前記第１領域である第１画像データと、前記モノクロ領域以外の画像領域が前記第２領域である第２画像データと、を生成することを特徴とする請求項２１に記載の画像処理方法。
【請求項２３】
前記検出ステップでは、前記カラー領域を検出し、
前記第１取得ステップでは、前記カラー領域以外の画像領域が前記第１領域である第１画像データと、前記カラー領域が前記第２領域である第２画像データと、を生成する
ことを特徴とする請求項２１に記載の画像処理方法。
【請求項２４】
前記第１画像データでは、前記第１領域以外の画像領域の画素値が所定値であり、
前記第２画像データでは、前記第２領域以外の画像領域の画素値が前記所定値であり、
前記合成ステップでは、画素毎に前記第１処理画像データの画素値と前記第２処理画像データの画素値とを足し合わせることにより、前記合成画像データを生成する
ことを特徴とする請求項１４〜２３のいずれか１項に記載の画像処理方法。
【請求項２５】
前記所定値は、黒色の画素値である
ことを特徴とする請求項２４に記載の画像処理方法。
【請求項２６】
請求項１４〜２５のいずれか１項に記載の画像処理方法の各ステップをコンピュータに実行させることを特徴とするプログラム。
【発明の詳細な説明】
【技術分野】
【０００１】
本発明は、画像処理装置、画像処理方法、及び、画像表示装置に関する。
【背景技術】
【０００２】
従来、医療用の画像処理装置に関する技術として、モノクロ画像とカラー画像が配置された画像を表示する際に、モノクロ画像とカラー画像に個別に画像処理を施す技術が提案されている（特許文献１，２）。モノクロ画像は、例えば、Ｘ線撮影によって生成されたＸ線画像である。カラー画像は、例えば、内視鏡撮影によって生成された内視鏡画像である。
【０００３】
特許文献１に開示の技術では、画像中に配置されている配置画像の領域が検出される。そして、検出された画像領域におけるモノクロ画素又はカラー画素の比率に応じた階調変換処理が、検出された画像領域に施される。
特許文献２に開示の技術では、互いに異なるモダリティから送信された複数の画像を１つの画像表示装置（モニタ）に同時に表示する際に、画像毎に、その画像の送信元のモダリティが識別される。そして、画像毎に、その画像の送信元のモダリティ（識別結果）に応じた階調変換処理が、当該画像に施される。
【０００４】
しかしながら、特許文献１，２に開示の技術では、複数の画像（複数の画像領域）にそれぞれ施す複数の階調変換処理（互いに異なる複数の階調変換処理）を実行する複数の階調補正回路が必要である。そのため、特許文献１，２に開示の技術を実現しようとすると、回路規模が増大してしまう。
【０００５】
また、特許文献２に記載の技術では、画像表示装置とは異なる画像処理装置（例えば、ＰＣ（Ｐｅｒｓｏｎａｌ  Ｃｏｍｐｕｔｅｒ））で階調変換処理が行われ、階調変換処理後の画像データが画像処理装置から画像表示装置に出力される。そのため、画像処理装置と画像表示装置の間で伝送可能な階調値のビット数が少ない場合には、階調変換処理後の画像データを画像処理装置から画像表示装置に伝送する際に、階調変換処理後の画像データのビット落ちが発生してしまう。そして、このようなビット落ちにより、階調変換処理後の画像を表示した際の表示輝度の誤差が増大してしまう。
【先行技術文献】
【特許文献】
【０００６】
【特許文献１】特許第４９７７２５５号公報
【特許文献２】特開２００８−６１９１号公報
【発明の概要】
【発明が解決しようとする課題】
【０００７】
本発明は、複数の画像領域にそれぞれ複数の画像処理（互いに異なる複数の画像処理）を施した画像データを簡易な構成で得ることができる技術を提供することを目的とする。
【課題を解決するための手段】
【０００８】
本発明の第１の態様は、
第１種別の画像が第１領域に配置された第１画像データと、第２種別の画像が第２領域に配置された第２画像データと、を取得する第１取得手段と、
前記第１画像データに含まれる前記第１種別の画像の各画素値を第１変換特性に基づいて変換することにより第１処理画像データを生成する第１画像処理と、前記第２画像デー
タに含まれる前記第２種別の画像の各画素値を第２変換特性に基づいて変換することにより第２処理画像データを生成する第２画像処理と、を順に行う画像処理手段と、
前記第１処理画像データと前記第２処理画像データとを合成することにより、前記第１画像処理が施された後の前記第１種別の画像と前記第２画像処理が施された後の前記第２種別の画像とが配置された合成画像データを生成する合成手段と、
を有することを特徴とする画像処理装置である。
【０００９】
本発明の第２の態様は、
上述した画像処理装置と、
前記合成画像データに基づく画像を表示する表示部と、
を有することを特徴とする画像表示装置である。
【００１０】
本発明の第３の態様は、
第１種別の画像が第１領域に配置された第１画像データと、第２種別の画像が第２領域に配置された第２画像データと、を取得する第１取得ステップと、
前記第１画像データに含まれる前記第１種別の画像の各画素値を第１変換特性に基づいて変換することにより第１処理画像データを生成する第１画像処理と、前記第２画像データに含まれる前記第２種別の画像の各画素値を第２変換特性に基づいて変換することにより第２処理画像データを生成する第２画像処理と、を順に行う画像処理ステップと、
前記第１処理画像データと前記処理第２画像データとを合成することにより、前記第１画像処理が施された後の前記第１種別の画像と前記第２画像処理が施された後の前記第２種別の画像とが配置された合成画像データを生成する合成ステップと、
を有することを特徴とする画像処理方法である。
【００１１】
本発明の第４の態様は、上述した画像処理方法の各ステップをコンピュータに実行させることを特徴とするプログラムである。
【発明の効果】
【００１２】
本発明によれば、複数の画像領域にそれぞれ複数の画像処理（互いに異なる複数の画像処理）を施した画像データを簡易な構成で得ることができる。
【図面の簡単な説明】
【００１３】
【図１】実施例１に係る画像表示システムの構成の一例を示すブロック図
【図２】実施例１に係る画像出力装置の動作の一例を示すフローチャート
【図３】実施例１に係る第１レイヤーと第２レイヤーの一例を示す図
【図４】実施例１に係る第１全体画像と第２全体画像の一例を示す図
【図５】実施例１に係る画像表示装置の動作の一例を示すフローチャート
【図６】実施例１に係る第１画像データの階調値の一例を示す図
【図７】実施例１に係る第２画像データの階調値の一例を示す図
【図８】実施例１に係る合成画像の一例を示す図
【図９】実施例２に係る画像表示システムの構成の一例を示すブロック図
【図１０】実施例２に係る画像出力装置の動作の一例を示すフローチャート
【図１１】実施例２に係る入力画像の一例を示す図
【図１２】実施例２に係る画像表示装置の動作の一例を示すフローチャート
【図１３】実施例２に係る第１全体画像と第２全体画像の一例を示す図
【図１４】実施例２に係る合成画像の一例を示す図
【図１５】実施例３に係る画像表示システムの構成の一例を示すブロック図
【図１６】実施例３に係る画像表示装置の動作の一例を示すフローチャート
【図１７】実施例３に係る入力画像の一例を示す図
【図１８】実施例３に係る第１全体画像と第２全体画像の一例を示す図
【図１９】実施例３に係る合成画像の一例を示す図
【発明を実施するための形態】
【００１４】
＜実施例１＞
以下、図面を参照して、本発明の実施例１に係る画像処理装置及び画像処理方法について説明する。なお、本実施例では、本実施例に係る画像処理装置が画像表示装置に設けられている場合の例を説明するが、本実施例に係る画像処理装置は画像表示装置とは別体の装置であってもよい。
【００１５】
（画像表示システムの構成）
まず、本実施例に係る画像表示システムの構成の一例について説明する。図１は、本実施例に係る画像表示システムの構成の一例を示すブロック図である。図１に示すように、本実施例に係る画像表示システムは、画像出力装置１００と画像表示装置１１０を有する。画像出力装置１００は、画像データを画像表示装置１１０に出力し、画像表示装置１１０は、画像出力装置１００から出力された画像データに基づく画像を表示する。画像出力装置１００としては、例えば、パーソナルコンピュータ（ＰＣ）を使用することができる。画像表示装置１１０としては、例えば、液晶表示装置、有機ＥＬ表示装置、プラズマ表示装置、等を使用することができる。
【００１６】
（画像出力装置の構成）
次に、画像出力装置１００の構成について説明する。画像出力装置１００は、操作部１０１、記憶部１０２、画像ビューア部１０３、及び、画像データ出力部１０４を有する。
【００１７】
操作部１０１は、ユーザ操作を受け付けるユーザインタフェースである。操作部１０１としては、キーボード、マウス、操作ボタン（物理的なボタン）、操作パネル（タッチパネル）、等を使用することができる。ユーザは、操作部１０１を操作することにより、画像表示装置１１０に表示する画像（画像ファイル）、画像の配置位置、及び、画像の表示変換特性、等を指示することができる。操作部１０１は、ユーザによって指示（選択）された画像（画像ファイル）、配置位置、表示変換特性、等を示す指示情報を、画像ビューア部１０３に出力する。複数の画像を並べて表示する場合には、複数の画像にそれぞれ対応する複数の指示情報（または、複数の画像に対応する１つの指示情報）が出力される。画像ファイルを示す情報としては、画像ファイルのファイル名を使用することができる。
【００１８】
本実施例では、画像表示装置１１０は、画像データに基づく画像を表示する際に、画像データの各階調値を変換する階調変換処理を行う。上述した表示変換特性は、階調変換処理前の階調値と階調変換処理後の階調値との対応関係を示す階調変換特性である。階調変換特性としては、例えば、ガンマカーブを使用することができる。画像データの各階調値をガンマカーブに基づいて変換する階調変換処理は“ガンマ変換処理”と言うこともできる。ユーザは、例えば、医療用のガンマカーブ、一般的な画像表示装置で使用されるガンマカーブ、等を含む複数のガンマカーブのうちの１つを、表示変換特性として選択する。医療用のガンマカーブは、例えば、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格で規定されたＧＳＤＦ（Ｇｒａｙｓｃａｌｅ  Ｓｔａｎｄａｒｄ  Ｄｉｓｐｌａｙ  Ｆｕｎｃｔｉｏｎ：グレースケール標準表示関数）カーブである。一般的な画像表示装置で使用されるガンマカーブは、例えば、２．２乗カーブ（ガンマ値＝２．２のガンマカーブである。
【００１９】
記憶部１０２は、モノクロ画像、カラー画像、等を含む複数の画像（複数の画像ファイル）を記憶する。モノクロ画像は、例えば、Ｘ線撮影によって生成されたＸ線画像である。カラー画像は、例えば、内視鏡撮影によって生成された内視鏡画像である。また、記憶部１０２は、画像ファイル以外の電子ファイルを記憶することもできる。例えば、記憶部
１０２は、電子カルテなどのテキストファイルを記憶することもできる。記憶部１０２としては、ＨＤＤ（Ｈａｒｄ  Ｄｉｓｋ  Ｄｒｉｖｅ）、ＳＳＤ（Ｓｏｌｉｄ  Ｓｔａｔｅ
Ｄｒｉｖｅ）、等を使用することができる。操作部１０１に対するユーザ操作により、画像表示装置１１０に表示する画像として、電子カルテが選択されることもある。
【００２０】
画像ビューア部１０３は、操作部１０１から出力された指示情報に基づいて、画像データを生成する。そして、画像ビューア部１０３は、生成した画像データを画像データ出力部１０４に出力する。画像ビューア部１０３は、例えば、画像出力装置１００上で動作するアプリケーションソフトウェアである。画像ビューア部１０３は、操作部１０１から出力された指示情報を受信すると、指示情報によって示された画像（画像ファイル）を記憶部１０２から読み出す。そして、画像ビューア部１０３は、記憶部１０２から読み出した画像（配置画像）が指示情報によって示された配置位置に配置された画像（全体画像）を示す画像データを生成する。
【００２１】
本実施例では、第１配置画像（第１種別の画像）と第２配置画像（第２種別の画像）が選択されたとする。また、第１配置画像に対応する表示変換特性（第１変換特性）としてＧＳＤＦカーブが選択され、第２配置画像に対応する表示変換特性（第２変換特性）として２．２乗カーブが選択されたとする。そして、本実施例では、画像ビューア部１０３は、第１配置画像が配置された第１全体画像を表す第１画像データ、及び、第２配置画像が配置された第２全体画像を表す第２画像データ、を生成する。第１画像データでは、第１配置画像の領域である第１領域以外の画像領域の画素値として所定値が使用され、第２画像データでは、第２配置画像の領域である第２領域以外の画像領域の画素値として所定値が使用される。第１領域と第２領域は、例えば、重なり合わないように設定される。具体的には、第１配置画像と第２配置画像は、後述する合成画像において重なり合わないように配置される。第１配置画像データと第２配置画像データを生成する際には、第１配置画像と第２配置画像の少なくとも一方の配置画像の画像サイズが、必要に応じて調整される。
【００２２】
なお、所定値は、どのような値であってもよいが、黒色の画素値であることが好ましい。本実施例では、所定値が黒色の画素値である場合の例を説明する。
なお、第１画像データは、第２画像データから独立した画像データであってもよいし、そうでなくてもよい。例えば、第１画像データと第２画像データは、複数の層（レイヤー）が積層されたレイヤー構造のレイヤーの画像データであってもよい。
なお、第１画像データにおいて、第１領域以外の画像領域の画素値は所定値でなくてもよい。第１画像データは、画像領域全体が第１領域である画像データであってもよい。また、第２画像データにおいて、第２領域以外の画像領域の画素値は所定値でなくてもよい。第２画像データは、画像領域全体が第２領域である画像データであってもよい。
【００２３】
画像データ出力部１０４は、画像ビューア部１０３から出力された画像データを画像表示装置１１０に出力する。例えば、画像出力装置１００と画像表示装置１１０はケーブルを用いて互いに接続されており、当該ケーブルを介して画像データ出力部１０４から画像表示装置１１０に画像データが伝送される。ケーブルとしては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル、ＤｉｓｐｌａｙＰｏｒｔケーブル、ネットワークケーブル、等を使用することができる。本実施例では、第１画像データと第２画像データが画像データ出力部１０４から出力される。第１画像データと第２画像データは、画像データ出力部１０４から順番に出力されてもよいし、そうでなくてもよい。本実施例では、画像データ出力部１０４は、フレーム毎に１つの画像データを出力する。具体的には、奇数番目のフレーム（奇数フレーム）で第１画像データを出力し、偶数番目のフレーム（偶数フレーム）で第２画像データを出力する。
【００２４】
なお、画像出力装置１００と画像表示装置１１０は無線で互いに接続されていてもよい。そして、画像データ出力部１０４から画像表示装置１１０に無線で画像データが伝送されてもよい。
【００２５】
（画像表示装置の構成）
次に、画像表示装置１１０の構成について説明する。画像表示装置１１０は、画像データ入力部１１１、フレーム判定部１１２、補正パラメータ決定部１１３、階調補正部１１４、画像合成部１１５、及び、表示部１１６を有する。
【００２６】
画像データ入力部１１１は、画像出力装置１００から出力された画像データを取得する（第１取得処理）。本実施例では、画像出力装置１００から第１画像データと第２画像データが取得される。第１画像データと第２画像データは順番に取得されてもよいし、そうでなくてもよい。本実施例では、画像データ入力部１１１は、フレーム毎に１つの画像データを取得する。具体的には、奇数フレームで第１画像データが取得され、偶数フレームで第２画像データが取得される。そして、画像データ入力部１１１は、フレーム毎に、取得した画像データを、フレーム判定部１１２と階調補正部１１４に出力する。
【００２７】
フレーム判定部１１２は、フレーム毎に、第１画像データと第２画像データの取得順序に応じて、画像データ入力部１１１で取得された画像データが第１画像データであるか第２画像データであるかを判定する。本実施例では、画像データ入力部１１１で取得された画像データのフレームが奇数フレームである場合には、当該画像データが第１画像データであると判定される。そして、画像データ入力部１１１で取得された画像データのフレームが偶数フレームである場合には、当該画像データが第２画像データであると判定される。そのため、画像データが第１画像データであるか第２画像データであるかを判定する処理は、“画像データのフレームが奇数フレームであるか偶数フレームであるかを判定する処理”と言うこともできる。フレーム判定部１１２は、上述した判定の結果（画像データが第１画像データであるか第２画像データであるかを示す情報）を、補正パラメータ決定部１１３に出力する。
【００２８】
補正パラメータ決定部１１３は、フレーム毎に、フレーム判定部１１２の判定結果に応じて、階調変換処理で使用する補正パラメータを決定する。そして、補正パラメータ決定部１１３は、フレーム毎に、決定した補正パラメータを階調補正部１１４に出力する。補正パラメータは、例えば、階調変換処理前の階調値と階調変換処理後の階調値との対応関係を示すＬＵＴ（Ｌｏｏｋ−Ｕｐ  Ｔａｂｌｅ）である。画像表示装置１１０（例えば、補正パラメータ決定部１１３）には、ＧＳＤＦカーブに基づいて生成された第１ＬＵＴと、２．２乗カーブに基づいて生成された第２ＬＵＴと、を含む複数のＬＵＴが予め記録されている。画像データ入力部１１１で取得された画像データが第１画像データである場合には、補正パラメータ決定部１１３は、第１ＬＵＴを階調補正部１１４に出力する。画像データ入力部１１１で取得された画像データが第２画像データである場合には、補正パラメータ決定部１１３は、第２ＬＵＴを階調補正部１１４に出力する。補正パラメータ決定部１１３は、フレーム間のブランキング期間に、ＬＵＴを出力する。それにより、階調補正部１１４によって使用されるＬＵＴが、ブランキング期間に切り替えられる。
【００２９】
なお、補正パラメータはＬＵＴに限らない。例えば、補正パラメータは関数であってもよい。階調変換処理前の階調値と階調変換処理後の階調値との対応関係を示す情報（ＬＵＴや関数）は、例えば、表示部１１６の表示特性（階調値と表示輝度（画面上の輝度）との対応関係）の測定結果に基づいて生成することができる。表示特性の測定は、例えば、画像表示装置１１０の製造時に行われる。
【００３０】
階調補正部１１４は、画像データ入力部１１１で取得された画像データに階調変換処理
を施す。そして、階調補正部１１４は、階調変換処理が施された後の画像データ（処理画像データ）を画像合成部１１５に出力する。本実施例では、第１画像データと第２画像データに対して順番に階調変換処理が施される。具体的には、階調補正部１１４は、フレーム毎に、画像データ入力部１１１から出力された画像データと、補正パラメータ決定部１１３から出力されたＬＵＴと、を受信する。そして、階調補正部１１４は、フレーム毎に、受信した画像データの各階調値を受信したＬＵＴを用いて変換する階調変換処理を行う。より具体的には、奇数フレームでは、第１画像データの各階調値を第１ＬＵＴを用いて変換することにより第１処理画像データを生成する階調変換処理（第１画像処理）が行われる。第１画像処理は、“第１画像データの各階調値をＧＳＤＦカーブに基づいて変換することにより第１処理画像データを生成する階調変換処理”と言うこともできる。偶数フレームでは、第２画像データの各階調値を第２ＬＵＴを用いて変換することにより第２処理画像データを生成する階調変換処理（第２画像処理）が行われる。第２画像処理は、“第２画像データの各階調値を２．２乗カーブに基づいて変換することにより第２処理画像データを生成する階調変換処理”と言うこともできる。そして、階調補正部１１４は、第１処理画像データと第２処理画像データを出力する。第１処理画像データと第２処理画像データは順番に出力されてもよいし、そうでなくてもよい。本実施例では、階調補正部１１４は、フレーム毎に１つの処理画像データを出力する。具体的には、奇数フレームでは第１処理画像データが出力され、偶数フレームでは第２処理画像データが出力される。このような階調補正部１１４は、“画像データの各画素値（または階調値）が順に入力され、入力された画素値に階調変換処理が施され、階調変換処理が施された後の画素値を出力する”という単純な画像処理回路（１つの画像処理回路）で実現することができる。
なお、第１画像処理と第２画像処理は、上記処理に限らない。例えば、第１画像処理と第２画像処理の少なくとも一方では、一部の画素の画素値のみが変換されてもよい。第１画像処理では、第１画像データに含まれる第１配置画像の各画素値が変換されればよい。第２画像処理では、第２画像データに含まれる第２配置画像の各画素値が変換されればよい。
【００３１】
画像合成部１１５は、第１処理画像データと第２処理画像データを合成することにより、第１画像処理が施された後の第１配置画像と第２画像処理が施された後の第２配置画像とが配置された１つの合成画像データを生成する。具体的には、画像合成部１１５は、画素毎に、第１処理画像データの画素値と第２処理画像データの画素値を足し合わせることにより、合成画像データを生成する。そして、画像合成部１１５は、合成画像データを表示部１１６に出力する。このような画像合成部１１５は、１フレーム分の画像データを記憶するフレームメモリと、画素毎に２つの画素値を足し合わせる加算回路と、を有する単純な合成回路で実現することができる。フレームメモリには、現在のフレームの１つ前のフレームの画像データが記録される。加算回路では、現在のフレームの画像データの画素値にフレームメモリが記憶している画像データの画素値が加算される。
なお、合成画像データの生成方法は上記方法に限らない。例えば、第１処理画像データから第１配置画像の画素を抽出し、第２処理画像データから第２配置画像の画素を抽出し、抽出したそれらの画素を１つの画像上に配置することにより、合成画像データが生成されてもよい。
【００３２】
表示部１１６は、表示部１１６に入力された画像データに基づく画像を表示する。本実施例では、画像合成部１１５から出力された合成画像データに基づく画像が表示される。表示部１１６としては、例えば、液晶表示パネル、有機ＥＬ表示パネル、プラズマ表示パネル、等を使用することができる。本実施例に係る画像処理装置が画像表示装置と別体の装置である場合には、表示部１１６は画像表示装置に設けられる。
【００３３】
（画像出力装置の動作）
次に、画像出力装置１００の動作の一例について説明する。図２は、画像出力装置１０
０の動作の一例を示すフローチャートである。
【００３４】
まず、Ｓ１１にて、ユーザが、操作部１０１を操作することにより、モノクロ画像１（第１配置画像）の画像ファイル、配置位置（水平位置，垂直位置）＝（ｘ１，ｙ１）、及び、ＧＳＤＦカーブを指示する。操作部１０１は、このユーザ操作に応じて、モノクロ画像１に対応する指示情報として、モノクロ画像１の画像ファイル、配置位置（ｘ１，ｙ１）、及び、ＧＳＤＦカーブを示す指示情報を、画像ビューア部１０３に出力する。
【００３５】
次に、Ｓ１２にて、ユーザが、操作部１０１を操作することにより、カラー画像２（第２配置画像）の画像ファイル、配置位置（ｘ２，ｙ２）、及び、２．２乗カーブを指示する。操作部１０１は、このユーザ操作に応じて、カラー画像２に対応する指示情報として、カラー画像２の画像ファイル、配置位置（ｘ２，ｙ２）、及び、２．２乗カーブを示す指示情報を、画像ビューア部１０３に出力する。
【００３６】
そして、Ｓ１３にて、画像ビューア部１０３が、Ｓ１１で指示された画像ファイル（モノクロ画像１の画像ファイル）を記憶部１０２から取得し、取得した画像ファイルからモノクロ画像１の画像データ（モノクロ画像データ）を生成する。また、画像ビューア部１０３は、Ｓ１２で指示された画像ファイル（カラー画像２の画像ファイル）を記憶部１０２から取得し、取得した画像ファイルからカラー画像２の画像データ（カラー画像データ）を生成する。例えば、画像ファイルが圧縮ファイル（圧縮された画像ファイル）である場合には、画像ファイルを解凍することにより、配置画像の画像データが生成される。画像ファイルがＲＡＷファイル（ＲＡＷ画像データ）である場合には、画像ファイルを現像することにより、配置画像の画像データが生成される。
【００３７】
次に、Ｓ１４にて、画像ビューア部１０３が、Ｓ１３において生成したモノクロ画像データを用いて、レイヤー（第１レイヤー）の配置位置（ｘ１，ｙ１）にモノクロ画像１を配置する。レイヤーの画像サイズは、全体画像の画像サイズと等しい。図３（Ａ）は、モノクロ画像１が配置された第１レイヤーの一例を示す。図３（Ａ）では、指示された配置位置（第１レイヤーの左上隅から、右方向に距離ｘ１、下方向に距離ｙ１だけ離れた位置）にモノクロ画像１の左上隅が配置されるように、モノクロ画像１が配置されている。なお、配置画像の配置方法は上記方法に限らない。例えば、指示された配置位置に配置画像の中心が配置されるように配置画像が配置されてもよい。
【００３８】
そして、Ｓ１５にて、画像ビューア部１０３が、Ｓ１３において生成したカラー画像データを用いて、レイヤー（第２レイヤー）の配置位置（ｘ２，ｙ２）にカラー画像２を配置する。図３（Ｂ）は、カラー画像２が配置された第２レイヤーの一例を示す。図３（Ｂ）では、指示された配置位置（第２レイヤーの左上隅から、右方向に距離ｘ２、下方向に距離ｙ２だけ離れた位置）にカラー画像２の左上隅が配置されるように、カラー画像２が配置されている。
【００３９】
次に、Ｓ１６にて、画像ビューア部１０３が、モノクロ画像１が配置された第１レイヤーの背景領域（モノクロ画像１の領域（第１領域）以外の画像領域）に対して、黒色の画素値（黒値）を割り当てる。それにより、モノクロ画像１の領域以外の画像領域の画素値が黒値である第１画像データが生成される。図４（Ａ）は、第１画像データが示す第１全体画像の一例を示す。図４（Ａ）では、配置位置（ｘ１，ｙ１）にモノクロ画像１が配置されている。そして、モノクロ画像１の領域以外の画像領域である背景領域５００が、黒色で塗りつぶされている。また、画像ビューア部１０３は、カラー画像２が配置された第２レイヤーの背景領域（カラー画像２の領域（第２領域）以外の画像領域）に対して、黒値を割り当てる。それにより、カラー画像２の領域以外の画像領域の画素値が黒値である第２画像データが生成される。図４（Ｂ）は、第２画像データが示す第２全体画像の一例
を示す。図４（Ｂ）では、配置位置（ｘ１，ｙ１）にカラー画像２が配置されている。そして、カラー画像２の領域以外の画像領域である背景領域６００が、黒色で塗りつぶされている。画像ビューア部１０３は、生成した第１画像データと第２画像データを画像データ出力部１０４に出力する。
【００４０】
そして、Ｓ１７にて、画像データ出力部１０４が、Ｓ１６で生成された第１画像データと第２画像データをその順番で画像表示装置１１０に出力する。具体的には、奇数フレームで第１画像データが出力され、偶数フレームで第２画像データが出力される。
【００４１】
（画像表示装置の動作）
次に、画像表示装置１１０の動作の一例について説明する。図５は、画像表示装置１１０の動作の一例を示すフローチャートである。
【００４２】
まず、Ｓ２１にて、画像データ入力部１１１が、図２のフローチャートに従って画像出力装置１００から出力された画像データを受信（取得）する。画像データ入力部１１１は、取得した画像データを、フレーム判定部１１２と階調補正部１１４に出力する。
【００４３】
次に、Ｓ２２にて、フレーム判定部１１２が、現在のフレームが奇数フレームであるか偶数フレームであるかを判定する。現在のフレームが奇数フレームである場合には、フレーム判定部１１２は、Ｓ２１で取得された画像データが第１画像データであると判定する。そして、Ｓ２３に処理が進められる。現在のフレームが偶数フレームである場合には、フレーム判定部１１２は、Ｓ２１で取得された画像データが第２画像データであると判定する。そして、Ｓ２４に処理が進められる。
【００４４】
Ｓ２３では、補正パラメータ決定部１１３が、補正パラメータとして第１ＬＵＴを選択する。その後、Ｓ２５に処理が進められる。
Ｓ２４では、補正パラメータ決定部１１３が、補正パラメータとして第２ＬＵＴを選択する。その後、Ｓ２５に処理が進められる。
Ｓ２５では、階調補正部１１４が、Ｓ２３またはＳ２４で選択されたＬＵＴを用いた階調変換処理を、Ｓ２１で取得された画像データに施す。それにより、処理画像データが生成される。
【００４５】
例えば、奇数フレームの画像データである第１画像データがＳ２１で取得された場合には、Ｓ２２からＳ２３に処理が進められ、Ｓ２３で第１ＬＵＴが選択される。そして、Ｓ２５で、第１ＬＵＴを用いた階調変換処理が第１画像データに施されることにより、第１処理画像データが生成される。図６（Ａ）は、階調変換処理が施される前の画像データである第１画像データの階調値の一例を示し、図６（Ｂ）は、階調変換処理が施された後の画像データである第１処理画像データの階調値の一例を示す。図６（Ａ），６（Ｂ）において、画像領域に記載の数値（０、５０、１００、２５５）は、階調値である。図６（Ａ），６（Ｂ）は、第１ＬＵＴを用いた階調変換処理により、階調値の取り得る値の最大値と最小値は変換されず、それらの間の階調値（中間階調値）が低減される例を示す。図６（Ａ）と図６（Ｂ）を比較すると、第１ＬＵＴを用いた階調変換処理を行っても画像領域５１０（モノクロ画像１の一部の領域）の階調値が２５５のまま変化しないことがわかる。また、第１ＬＵＴを用いた階調変換処理を行うことにより画像領域５２０（モノクロ画像１の一部の領域）の階調値が１００から５０に低減することがわかる。また、第１ＬＵＴを用いた階調変換処理を行っても画像領域５３０（モノクロ画像１の一部の領域）と背景領域５００の階調値が０のまま変化しないことがわかる。
【００４６】
偶数フレームの画像データである第２画像データがＳ２１で取得された場合には、Ｓ２２からＳ２４に処理が進められ、Ｓ２４で第２ＬＵＴが選択される。そして、Ｓ２５で、
第２ＬＵＴを用いた階調変換処理が第２画像データに施されることにより、第２処理画像データが生成される。図７（Ｂ）は、階調変換処理が施される前の画像データである第２画像データの階調値の一例を示し、図７（Ｂ）は、階調変換処理が施された後の画像データである第２処理画像データの階調値の一例を示す。図７（Ａ），７（Ｂ）において、画像領域に記載の数値（０、８０、１００、２５５）は、階調値である。図７（Ａ）と図７（Ｂ）を比較すると、第２ＬＵＴを用いた階調変換処理を行っても画像領域６１０（カラー画像２の一部の領域）の階調値が２５５のまま変化しないことがわかる。また、第２ＬＵＴを用いた階調変換処理を行うことにより画像領域６２０（カラー画像２の一部の領域）の階調値が１００から８０に低減することがわかる。また、第２ＬＵＴを用いた階調変換処理を行っても画像領域６３０（カラー画像２の一部の領域）と背景領域６００の階調値が０のまま変化しないことがわかる。
【００４７】
Ｓ２１〜Ｓ２５の処理は、フレーム毎に行われる。換言すれば、Ｓ２１〜Ｓ２５の処理は、画像出力装置１００から画像データが出力される度に行われる。そして、第１画像データ（奇数フレーム）に対するＳ２１〜Ｓ２５の処理と、第２画像データ（偶数フレーム）に対するＳ２１〜Ｓ２５の処理と、が行われると、Ｓ２６に処理が進められる。
【００４８】
Ｓ２６では、画像合成部１１５が、Ｓ２５で生成された第１処理画像データと第２処理画像データを合成することにより、合成画像データを生成する。具体的には、画素毎に、第１処理画像データの画素値と第２処理画像データの画素値を足し合わせることにより、合成画像データの画素値が算出される。それにより、合成画像データが生成される。図８は、合成画像データが示す画像（合成画像）の一例を示す。具体的には、図８の合成画像は、図６（Ｂ）の第１処理画像データと図７（Ｂ）の第２処理画像データから生成された合成画像である。図８から、配置位置（ｘ１，ｙ１）にモノクロ画像１が配置され、配置位置（ｘ２，ｙ２）にカラー画像２が配置されていることがわかる。図８には、モノクロ画像１とカラー画像２の階調値も示されている。図８から、モノクロ画像１の階調値として第１処理画像データの階調値が割り当てられており、カラー画像２の階調値として第２処理画像データの階調値が割り当てられていることがわかる。即ち、図８から、第１ＬＵＴを用いた階調補正処理が施された後のモノクロ画像１と、第２ＬＵＴを用いた階調補正処理が施された後のカラー画像２と、が配置されていることがわかる。画素値の足し合わせでこのような合成画像が得られるのは、背景領域の画素値として黒値を使用したためである。
【００４９】
なお、所定値として黒値以外の画素値を使用した場合には、モノクロ画像１の各画素値が一律に第１処理画像データの画素値から所定値分だけ変化し、カラー画像２の各画素値が一律に第２処理画像データの画素値から所定値分だけ変化する。しかしながら、このような一律な変化は、画像の見えを大きく変えるものではない。そのため、所定値として黒値以外の画素値を使用した場合であっても、上述した合成画像と同等の合成画像を得ることができる。具体的には、第１ＬＵＴを用いた階調補正処理が施された後の第１配置画像と同等の配置画像と、第２ＬＵＴを用いた階調補正処理が施された後の第２配置画像と同等の配置画像と、が配置された合成画像を得ることができる。
【００５０】
次に、Ｓ２７にて、表示部１１６が、Ｓ２６で生成された合成画像データに基づく画像を表示する。それにより、第１ＬＵＴを用いた階調補正処理が施された後のモノクロ画像１と、第２ＬＵＴを用いた階調補正処理が施された後のカラー画像２と、が同時に表示される。
【００５１】
（効果）
以上説明したように、本実施例によれば、第１画像データから第１処理画像データを生成する第１画像処理と、第２画像データから第２処理画像データを生成する第２画像処理
と、が順に行われる。そして、第１処理画像データと第２処理画像データを合成することにより合成画像データが生成される。それにより、複数の画像領域にそれぞれ複数の画像処理（互いに異なる複数の画像処理）を施した画像データを簡易な構成で得ることができる。具体的には、第１画像処理と第２画像処理を順に行う上記処理は、１つの階調補正回路で実現できる。そのため、本実施例では、複数の画像処理（階調変換処理）を実行する複数の階調補正回路を用いずに、複数の画像領域にそれぞれ複数の画像処理を施した画像データを、小さい回路規模で得ることができる。
【００５２】
また、本実施例では、画像処理（階調変換処理）が画像表示装置で行われるため、階調変換処理後の画像データを表示する際に、階調変換処理後の画像データを画像出力装置から画像表示装置に伝送する必要はない。そのため、階調変換処理後の画像データが画像出力装置から画像表示装置に伝送される際に生じるビット落ち等に起因した画質の劣化（表示輝度の誤差の増大）を抑制することができる。ひいては、高画質の表示画像（画面に表示された画像）を得ることができる。
【００５３】
なお、本実施例では、画像データの各画素値を変換する画像処理が、画像データの各階調値を変換する階調変換処理である場合の例を説明したが、これに限らない。例えば、画像処理は、画像データの各画素の色を変換する色変換処理、画像データの各画素の輝度を変換する輝度変換処理、等であってもよい。
【００５４】
なお、本実施例では、ユーザが画像出力装置１００に配置画像の表示変換特性を指示する例を説明したが、これに限らない。例えば、画像ビューア部１０３が、配置画像の種類を判別し、配置画像の種類に応じて表示変換特性を自動で決定してもよい。
【００５５】
なお、本実施例では、ＧＳＤＦカーブに基づく階調変換処理によってモノクロ画像の階調値が変換され、２．２乗カーブに基づく階調変換処理によってカラー画像の階調値が変換される例を説明したが、これに限らない。例えば、ＧＳＤＦカーブに基づく階調変換処理によってカラー画像の階調値が変換され、２．２乗カーブに基づく階調変換処理によってモノクロ画像の階調値が変換されてもよい。換言すれば、第１変換特性が２．２乗カーブであり、第２変換特性がＧＳＤＦカーブであってもよい。
【００５６】
なお、本実施例では、奇数フレームの画像データに第１画像処理が施され、偶数フレームの画像データに第２画像処理が施される例を説明したが、これに限らない。例えば、偶数フレームの画像データに第１画像処理が施され、奇数フレームの画像データに第２画像処理が施されてもよい。また、通常のフレームの画像データに対しては２．２乗カーブに基づく階調変換処理を施し、特定のフレームの画像データに対してのみＧＳＤＦカーブに基づく階調変換処理が施されてもよい。
【００５７】
なお、本実施例では、奇数フレームの画像データが第１画像データであると判定され、偶数フレームの画像データが第２画像データであると判定される例を説明したが、これに限らない。例えば、画像データ入力部１１１が、取得した画像データ毎に、その画像データが第１画像データであるか第２画像データであるかを示す種別情報をさらに取得してもよい。そして、フレーム判定部１１２が、画像データ入力部１１１で取得された画像データ毎に、その画像データに対応する種別情報に応じて、当該画像データが第１画像データであるか第２画像データであるかを判定してもよい。種別情報は、例えば、画像データのヘッダ部に付加（記述）される。
【００５８】
なお、種別情報としては、ユーザによって指示された表示変換特性を示す情報を使用することもできる。即ち、種別情報として、画像データの各画素値を変換する際に考慮すべき変換特性が第１変換特性であるか第２変換特性であるかを示す情報を使用することもで
きる。その場合には、種別情報によって示された変換特性が第１変換特性である場合に、取得された画像データが第１画像データであると判定されればよい。そして、種別情報によって示された変換特性が第２変換特性である場合に、取得された画像データが第２画像データであると判定されればよい。
【００５９】
なお、本実施例では、２つの配置画像が配置された合成画像を表す合成画像データが生成される例を説明したが、これに限らない。３つ以上の配置画像が配置された合成画像を表す合成画像データが生成されてもよい。例えば、Ｎ個（Ｎは３以上整数）の配置画像のそれぞれについて、その配置画像のみが配置された画像データ（階調変換処理が施される前の画像データ；未処理画像データ）が取得されてもよい。そして、Ｎ個（Ｎフレーム分）の未処理画像データに順番に画像処理を施すことにより、Ｎ個の処理画像データが順番に生成され、Ｎ個の処理画像データを合成することにより、Ｎ個の配置画像が配置された合成画像を表す合成画像データが生成されてもよい。表示変換特性が互いに等しい複数の配置画像が存在する場合には、当該複数の配置画像が配置された全体画像を表す未処理画像データが生成されて取得されてもよい。それにより、未処理画像データと処理画像データの数を減らすことができ、画像出力装置１００と画像表示装置１１０の処理負荷を低減することができる。
【００６０】
＜実施例２＞
以下、図面を参照して、本発明の実施例２に係る画像処理装置及び画像処理方法ついて説明する。本実施例では、画像処理装置が、複数の配置画像が配置された全体画像（入力画像）を表す入力画像データを取得し、入力画像データから複数の未処理画像データを生成する例を説明する。以下では、実施例１と異なる構成や処理について詳しく説明し、実施例１と同じ構成や処理については説明を省略する。
【００６１】
（画像表示システムの構成）
まず、本実施例に係る画像表示システムの構成の一例について説明する。図９は、本実施例に係る画像表示システムの構成の一例を示すブロック図である。図９に示すように、本実施例に係る画像表示システムは、画像出力装置２００と画像表示装置２１０を有する。
【００６２】
（画像出力装置の構成）
次に、画像出力装置２００の構成について説明する。画像出力装置２００は、操作部２０１、記憶部２０２、画像ビューア部２０３、及び、画像データ出力部２０４を有する。操作部２０１は実施例１の操作部１０１と同様の機能を有し、記憶部２０２は実施例１の記憶部１０２と同様の機能を有する。
【００６３】
画像ビューア部２０３は、操作部２０１から出力された指示情報に基づいて、画像データを生成する。具体的には、画像ビューア部２０３は、操作部２０１から出力された指示情報を受信すると、指示情報によって示された配置画像（画像ファイル）を記憶部２０２から読み出す。そして、画像ビューア部２０３は、記憶部２０２から読み出した配置画像が指示情報によって示された配置位置に配置された全体画像を表す画像データを生成する。画像ビューア部２０３は、生成した画像データ、配置画像の配置位置、配置画像の画像サイズ、及び、配置画像の表示変換特性（ユーザに指示された表示変換特性）、を画像データ出力部２０４に出力する。実施例１では、配置画像毎または表示変換特性毎に画像データ（未処理画像データ）が生成される例を説明したが、本実施例では、指示された全ての配置画像が配置された全体画像を表す１つの画像データ（入力画像データ）が生成される。
【００６４】
本実施例では、第１配置画像と第２配置画像が選択され、第１配置画像に対応する表示
変換特性としてＧＳＤＦカーブ（第１変換特性）が選択され、第２配置画像に対応する表示変換特性として２．２乗カーブ（第２変換特性）が選択されたとする。そして、本実施例では、画像ビューア部２０３は、第１配置画像と第２配置画像が配置された全体画像（入力画像）を表す入力画像データを生成する。
【００６５】
画像データ出力部２０４は、画像ビューア部２０３から出力された入力画像データを画像表示装置２１０に出力する。また、画像データ出力部２０４は、領域情報を少なくとも含む付加情報を画像表示装置２１０に出力する。領域情報は、配置画像の領域を示す情報である。本実施例では、第１配置画像の領域（第１領域）と第２配置画像の領域（第２領域）とを示す領域情報が出力される。領域情報としては、例えば、配置画像の領域の始点座標と終点座標の組み合わせ、配置画像の配置位置と画像サイズの組み合わせ、等を使用することができる。本実施例では、画像ビューア部２０３から出力された、各配置画像の配置位置、各配置画像の画像サイズ、及び、各配置画像の表示変換特性、を含む情報が、付加情報として画像表示装置２１０に出力される。付加情報は、例えば、画像データのヘッダ部に付加（記述）される。本実施例では、フレーム毎に入力画像データと付加情報が出力される。
【００６６】
（画像表示装置の構成）
次に、画像表示装置２１０の構成について説明する。画像表示装置２１０は、画像データ入力部２１１、フレーム分割部２１７、フレーム判定部２１２、補正パラメータ決定部２１３、階調補正部２１４、画像合成部２１５、及び、表示部２１６を有する。フレーム判定部２１２は実施例１のフレーム判定部１１２と同様の機能を有し、補正パラメータ決定部２１３は実施例１の補正パラメータ決定部１１３と同様の機能を有する。また、階調補正部２１４は実施例１の階調補正部１１４と同様の機能を有し、画像合成部２１５は実施例１の画像合成部１１５と同様の機能を有し、表示部２１６は実施例１の表示部１１６と同様の機能を有する。
【００６７】
画像データ入力部２１１は、画像出力装置２００から出力された入力画像データと付加情報（領域情報を含む情報）を取得する（第２取得処理）。そして、画像データ入力部２１１は、取得した入力画像データと付加情報をフレーム分割部２１７に出力する。本実施例では、画像データ入力部２１１は、フレーム毎に入力画像データと付加情報を取得し出力する。
【００６８】
フレーム分割部２１７は、画像データ入力部２１１から出力された入力画像データと付加情報を受信し、付加情報に基づいて入力画像データから複数の未処理画像データを生成する。例えば、配置画像毎または表示変換特性毎に、未処理画像データが生成される。本実施例では、第１画像データと第２画像データが生成される。入力画像データから複数の未処理画像データを生成する処理は、“入力画像データのフレームを複数の未処理画像データに対応する複数のフレームに分割する処理”と言うこともできる。フレーム分割部２１７は、フレーム毎に未処理画像データを階調補正部２１４とフレーム判定部２１２に出力する。本実施例では、第１画像データと第２画像データがその順番で出力される。
【００６９】
（画像出力装置の動作）
次に、画像出力装置２００の動作の一例について説明する。図１０は、画像出力装置２００の動作の一例を示すフローチャートである。
【００７０】
まず、Ｓ３１にて、ユーザが、操作部２０１を操作することにより、配置画像３（第１配置画像）の画像ファイル、配置位置（ｘ３，ｙ３）、及び、ＧＳＤＦカーブを指示する。操作部２０１は、このユーザ操作に応じて、配置画像３に対応する指示情報として、配置画像３の画像ファイル、配置位置（ｘ３，ｙ３）、及び、ＧＳＤＦカーブを示す指示情
報を、画像ビューア部２０３に出力する。
【００７１】
次に、Ｓ３２にて、ユーザが、操作部２０１を操作することにより、配置画像４（第２配置画像）の画像ファイル、配置位置（ｘ４，ｙ４）、及び、２．２乗カーブを指示する。操作部２０１は、このユーザ操作に応じて、配置画像４に対応する指示情報として、配置画像４の画像ファイル、配置位置（ｘ４，ｙ４）、及び、２．２乗カーブを示す指示情報を、画像ビューア部２０３に出力する。
【００７２】
そして、Ｓ３３にて、画像ビューア部２０３が、Ｓ３１で指示された画像ファイル（配置画像３の画像ファイル）を記憶部２０２から取得し、取得した画像ファイルから配置画像３の画像データ（第１配置画像データ）を生成する。また、画像ビューア部２０３は、Ｓ３２で指示された画像ファイル（配置画像４の画像ファイル）を記憶部２０２から取得し、取得した画像ファイルから配置画像４の画像データ（第２配置画像データ）を生成する。
【００７３】
次に、Ｓ３４にて、画像ビューア部２０３が、Ｓ３３において生成した第１配置画像データを用いて、配置位置（ｘ３，ｙ３）に配置画像３が配置された全体画像を表す画像データを生成する。ここでは、配置画像３の領域の画素値として、Ｓ３３で生成された第１配置画像データの画素値と同じ画素値が割り当てられた画像データが生成される。
【００７４】
そして、Ｓ３５にて、画像ビューア部２０３が、Ｓ３３において生成した第２配置画像データと、Ｓ３４において生成した画像データと、を用いて、配置位置（ｘ４，ｙ４）に配置画像４が配置された全体画像を表す画像データを生成する。具体的には、配置位置（ｘ３，ｙ３）に配置画像３が配置され、且つ、配置位置（ｘ４，ｙ４）に配置画像４が配置された全体画像を表す画像データ（入力画像データ）が生成される。入力画像データでは、配置画像３の領域の画素値として、Ｓ３３で生成された第１配置画像データの画素値と同じ画素値が割り当てられている。そして、配置画像４の領域の画素値として、Ｓ３３で生成された第２配置画像データの画素値と同じ画素値が割り当てられている。配置画像３，４の領域以外の画像領域に対しては、どのような画素値が割り当てられていてもよい。画像ビューア部２０３は、生成した入力画像データを画像データ出力部２０４に出力する。
【００７５】
図１１は、入力画像の一例を示す。図１１では、指示された配置位置（入力画像の左上隅から、右方向に距離ｘ３、下方向に距離ｙ３だけ離れた位置）に配置画像３の左上隅が配置されるように、配置画像３が配置されている。また、図１１では、指示された配置位置（入力画像の左上隅から、右方向に距離ｘ４、下方向に距離ｙ４だけ離れた位置）に配置画像４の左上隅が配置されるように、配置画像４が配置されている。
【００７６】
次に、Ｓ３６にて、画像データ出力部２０４が、Ｓ３５で生成された入力画像データのヘッダ部に、ユーザからの指示に応じた付加情報を記述し、付加情報が記述された後の入力画像データを画像表示装置２１０に出力する。ここで付加される付加情報は、配置画像３に関する情報として、配置位置（ｘ３，ｙ３）、配置画像３の画像サイズ、及び、ＧＳＤＦカーブを含む。また、付加情報は、配置画像４に関する情報として、配置位置（ｘ４，ｙ４）、配置画像４の画像サイズ、及び、２．２乗カーブを含む。
【００７７】
（画像表示装置の動作）
次に、画像表示装置２１０の動作の一例について説明する。図１２は、画像表示装置２１０の動作の一例を示すフローチャートである。図１２のフローチャートは、入力画像データのフレーム毎に行われる。
【００７８】
まず、Ｓ４１にて、画像データ入力部２１１が、図１０のフローチャートに従って画像出力装置２００から出力された入力画像データを受信（取得）する。画像データ入力部２１１は、取得した入力画像データを、フレーム分割部２１７に出力する。
【００７９】
次に、Ｓ４２において、フレーム分割部２１７が、Ｓ４１で受信された入力画像データのヘッダ部から付加情報を抽出する。具体的には、配置画像３に関する情報として、配置位置（ｘ３，ｙ３）、配置画像３の画像サイズ、及び、ＧＳＤＦカーブが抽出される。そして、配置画像４に関する情報として、配置位置（ｘ４，ｙ４）、配置画像４の画像サイズ、及び、２．２乗カーブが抽出される。そして、フレーム分割部２１７は、抽出した付加情報に基づいて、入力画像データから第１画像データと第２画像データを生成する。Ｓ４２の処理は、“入力画像データのフレームを、第１画像データのフレーム（サブフレーム）と第２画像データのフレーム（サブフレーム）とに分割する処理”と言うこともできる。フレーム分割部２１７は、第１画像データと第２画像データをその順番で階調補正部２１４とフレーム判定部２１２に出力する。即ち、奇数フレームで第１画像データが出力され、偶数フレームで第２画像データが出力される。本実施例では、奇数フレームは奇数番目のサブフレームであり、偶数フレームは偶数番目のサブフレームである。
【００８０】
第１画像データと第２画像データの生成方法の一例について説明する。
まず、フレーム分割部２１７は、Ｓ４１で取得された１フレーム分の入力画像データを複製することにより、２サブフレーム分の入力画像データ（第１入力画像データと第２入力画像データ）を生成する。
次に、フレーム分割部２１７は、第１入力画像データの複数の画素値のうち、配置画像３の領域以外の画像領域の画素値を黒値に置き変える。それにより、第１画像データが生成される。図１３（Ａ）は、本実施例に係る上記方法で生成された第１画像データが示す第１全体画像の一例を示す。図１３（Ａ）では、配置位置（ｘ３，ｙ３）に配置画像３が配置されている。そして、配置画像３の領域以外の画像領域である背景領域７００が、黒色で塗りつぶされている。図１３（Ａ）から、第１全体画像には、配置画像３のみが描画されおり、配置画像４が描画されていないことがわかる。
そして、フレーム分割部２１７は、第２入力画像データの複数の画素値のうち、配置画像４の領域以外の画像領域の画素値を黒値に置き変える。それにより、第２画像データが生成される。図１３（Ｂ）は、本実施例に係る上記方法で生成された第２画像データが示す第２全体画像の一例を示す。図１３（Ｂ）では、配置位置（ｘ４，ｙ４）に配置画像４が配置されている。そして、配置画像４の領域以外の画像領域である背景領域８００が、黒色で塗りつぶされている。図１３（Ｂ）から、第２全体画像には、配置画像４のみが描画されおり、配置画像３が描画されていないことがわかる。
【００８１】
Ｓ４２の次に、Ｓ４３にて、フレーム判定部２１２が、現在のフレーム（サブフレーム）が奇数フレームであるか偶数フレームであるかを判定する。現在のサブフレームが奇数フレームである場合には、フレーム判定部２１２は、現在のサブフレームの未処理画像データ（フレーム分割部２１７から出力された画像データ）が第１画像データであると判定する。そして、Ｓ４４に処理が進められる。現在のサブフレームが偶数フレームである場合には、フレーム判定部２１２は、現在のサブフレームの未処理画像データが第２画像データであると判定する。そして、Ｓ４５に処理が進められる。
【００８２】
Ｓ４４では、補正パラメータ決定部２１３が、補正パラメータとして第１ＬＵＴを選択する。その後、Ｓ４６に処理が進められる。
Ｓ４５では、補正パラメータ決定部２１３が、補正パラメータとして第２ＬＵＴを選択する。その後、Ｓ４６に処理が進められる。
Ｓ４６では、階調補正部２１４が、Ｓ４４またはＳ４５で選択されたＬＵＴを用いた階調変換処理を、現在のサブフレームの未処理画像データに施す。それにより、処理画像デ
ータが生成される。
【００８３】
例えば、現在のサブフレームが奇数フレームである場合には、現在のサブフレームの未処理画像データは第１画像データである。そのため、その場合には、Ｓ４３からＳ４４に処理が進められ、Ｓ４４で第１ＬＵＴが選択される。そして、Ｓ４６で、第１ＬＵＴを用いた階調変換処理が第１画像データに施されることにより、第１処理画像データが生成される。現在のサブフレームが偶数フレームである場合には、現在のサブフレームの未処理画像データは第２画像データである。そのため、その場合には、Ｓ４３からＳ４５に処理が進められ、Ｓ４５で第２ＬＵＴが選択される。そして、Ｓ４６で、第２ＬＵＴを用いた階調変換処理が第２画像データに施されることにより、第２処理画像データが生成される。
【００８４】
Ｓ４３〜Ｓ４６の処理は、サブフレーム毎に行われる。そして、第１画像データ（奇数フレーム）に対するＳ４３〜Ｓ４６の処理と、第２画像データ（偶数フレーム）に対するＳ４３〜Ｓ４６の処理と、が行われると、Ｓ４７に処理が進められる。
【００８５】
Ｓ４７では、画像合成部２１５が、Ｓ４６で生成された第１処理画像データと第２処理画像データを合成することにより、合成画像データを生成する。合成画像データの生成方法は実施例１と同じである。図１４は、本実施例に係る合成画像の一例を示す。図１４から、配置位置（ｘ３，ｙ３）に配置画像３が配置され、配置位置（ｘ４，ｙ４）に配置画像４が配置されていることがわかる。図１４において、画像領域に記載の数値は、階調値である。画像領域７２０は配置画像３の一部の領域であり、画像領域８２０は配置画像４の一部の領域である。図示されていないが、画像領域７２０と画像領域８２０では、階調変換処理が施される前の階調値は互いに等しい。図１４から、画像領域７２０に対して、階調変換処理が施された後の階調値として５０が割り当てられていることがわかる。そして、画像領域８２０に対して、階調変換処理が施された後の階調値として、画像領域７２０の階調値とは異なる階調値８０が割り当てられていることがわかる。そのため、図１４から、配置画像３の領域と配置画像４の領域とで異なる階調変換処理が行われていることがわかる。
【００８６】
次に、Ｓ４８にて、表示部２１６が、Ｓ４７で生成された合成画像データに基づく画像を表示する。それにより、第１ＬＵＴを用いた階調補正処理が施された後の配置画像３と、第２ＬＵＴを用いた階調補正処理が施された後の配置画像４と、が同時に表示される。
【００８７】
（効果）
以上説明したように、本実施例によれば、第１画像データから第１処理画像データを生成する第１画像処理と、第２画像データから第２処理画像データを生成する第２画像処理と、が順に行われる。そして、第１処理画像データと第２処理画像データを合成することにより合成画像データが生成される。それにより、複数の画像領域にそれぞれ複数の画像処理（互いに異なる複数の画像処理）を施した画像データを簡易な構成で得ることができる。
【００８８】
また、本実施例では、画像処理（階調変換処理）が画像表示装置で行われる。それにより、階調変換処理後の画像データが画像出力装置から画像表示装置に伝送される際に生じるビット落ち等に起因した画質の劣化（表示輝度の誤差の増大）を抑制することができる。ひいては、高画質の表示画像を得ることができる。
【００８９】
また、本実施例では、複数の未処理画像データが画像表示装置（画像処理装置）で生成されるため、画像出力装置が複数の未処理画像データを生成する必要はない。そのため、画像出力装置の処理負荷を低減することができる。
【００９０】
＜実施例３＞
以下、図面を参照して、本発明の実施例３に係る画像処理装置及び画像処理方法ついて説明する。本実施例では、画像処理装置が、複数の配置画像が配置された全体画像を表す入力画像データを取得し、入力画像データから複数の未処理画像データを生成する他の例を説明する。以下では、実施例１，２と異なる構成や処理について詳しく説明し、実施例１，２と同じ構成や処理については説明を省略する。
【００９１】
（画像表示システムの構成）
まず、本実施例に係る画像表示システムの構成の一例について説明する。図１５は、本実施例に係る画像表示システムの構成の一例を示すブロック図である。図１５に示すように、本実施例に係る画像表示システムは、画像出力装置３００と画像表示装置３１０を有する。
【００９２】
（画像出力装置の構成）
次に、画像出力装置３００の構成について説明する。画像出力装置３００は、操作部３０１、記憶部３０２、画像ビューア部３０３、及び、画像データ出力部３０４を有する。操作部３０１は実施例２の操作部２０１と同様の機能を有し、記憶部３０２は実施例２の記憶部２０２と同様の機能を有する。また、画像ビューア部３０３は実施例２の画像ビューア部２０３と同様の機能を有し、画像データ出力部３０４は実施例２の画像データ出力部２０４と同様の機能を有する。但し、本実施例では、表示変換特性は指示されなくてもよい。また、本実施例では、画像出力装置３００から付加情報が出力されなくてもよい。
【００９３】
（画像表示装置の構成）
次に、画像表示装置３１０の構成について説明する。画像表示装置３１０は、画像データ入力部３１１、モノクロ領域検出部３１８、フレーム分割部３１７、フレーム判定部３１２、補正パラメータ決定部３１３、階調補正部３１４、画像合成部３１５、及び、表示部３１６を有する。フレーム判定部３１２は実施例２のフレーム判定部２１２と同様の機能を有し、補正パラメータ決定部３１３は実施例２の補正パラメータ決定部２１３と同様の機能を有する。また、階調補正部３１４は実施例２の階調補正部２１４と同様の機能を有し、画像合成部３１５は実施例２の画像合成部２１５と同様の機能を有し、表示部３１６は実施例２の表示部２１６と同様の機能を有する。
【００９４】
画像データ入力部３１１は、画像出力装置３００から出力された入力画像データを取得する（第２取得処理）。そして、画像データ入力部３１１は、取得した入力画像データをモノクロ領域検出部３１８とフレーム分割部３１７に出力する。本実施例では、画像データ入力部３１１は、フレーム毎に入力画像データを取得し出力する。
【００９５】
モノクロ領域検出部３１８は、画像データ入力部３１１から出力された入力画像データに基づいて、入力画像の領域からモノクロ領域を検出する。そして、モノクロ領域検出部３１８は、モノクロ領域の検出結果（検出されたモノクロ領域を示すモノクロ領域情報）をフレーム分割部３１７に出力する。モノクロ領域情報としては、例えば、モノクロ領域の配置位置と領域サイズの組み合わせ、モノクロ領域の始点座標と終点座標の組み合わせ、等を使用することができる。
【００９６】
なお、モノクロ領域の検出方法は特に限定されない。例えば、無彩色画素からなる画像領域がモノクロ領域として検出されてもよい。無彩色画素の密度が最大（または閾値以上）となるような矩形領域がモノクロ領域として検出されてもよい。ここで、“無彩色画素の密度”は、矩形領域の総画素数に対する矩形領域の無彩色画素の総数の割合である。
【００９７】
フレーム分割部３１７は、画像データ入力部３１１から出力された入力画像データと、モノクロ領域検出部３１８から出力されたモノクロ領域情報と、を受信する。そして、フレーム分割部３１７は、モノクロ領域情報に基づいて、入力画像データから第１画像データと第２画像データの２つの未処理画像データを生成する。本実施例では、モノクロ領域が第１領域である第１画像データと、モノクロ領域以外の画像領域が第２領域である第２画像データと、が生成される。第１画像データでは、第１領域に対して、入力画像データの画素値と同じ画素値が割り当てられており、第１領域以外の画像領域に対して、黒値が割り当てられている。第２画像データでは、第２領域に対して、入力画像データの画素値と同じ画素値が割り当てられており、第２領域以外の画像領域に対して、黒値が割り当てられている。フレーム分割部２１７は、フレーム毎に未処理画像データを階調補正部２１４とフレーム判定部２１２に出力する。本実施例では、第１画像データと第２画像データがその順番で出力される。
【００９８】
なお、第１画像データと第２画像データの生成方法は上記方法に限らない。例えば、モノクロ領域は検出されず、カラー領域が検出されてもよい。そして、カラー領域以外の領域が第１領域である第１画像データと、カラー領域が第２領域である第２画像データと、が生成されてもよい。モノクロ領域とカラー領域の両方が検出されてもよい。そして、モノクロ領域を少なくとも含む画像領域が第１領域である第１画像データと、カラー領域を少なくとも含む画像領域が第２領域である第２画像データと、が生成されてもよい。モノクロ領域を少なくとも含む画像領域が第１領域である第１画像データと、カラー領域を少なくとも含む画像領域が第２領域である第２画像データと、が生成されれば、どのような方法で未処理画像データが生成されてもよい。
【００９９】
なお、カラー領域の検出方法は特に限定されない。例えば、有色画素からなる画像領域がカラー領域として検出されてもよい。有色画素の密度が最大（または閾値以上）となるような矩形領域がカラー領域として検出されてもよい。ここで、“有色画素の密度”は、矩形領域の総画素数に対する矩形領域の有色画素の総数の割合である。
【０１００】
（画像表示装置の動作）
次に、画像表示装置３１０の動作の一例について説明する。画像出力装置３００の動作は、実施例２の画像出力装置３００の動作と同じであるため、その説明は省略する。図１６は、画像表示装置３１０の動作の一例を示すフローチャートである。図１６のフローチャートは、入力画像データのフレーム毎に行われる。
【０１０１】
まず、Ｓ５１にて、画像データ入力部３１１が、画像出力装置３００から出力された入力画像データを受信（取得）する。画像データ入力部３１１は、取得した入力画像データを、モノクロ領域検出部３１８とフレーム分割部３１７に出力する。図１７は、本実施例に係る入力画像の一例を示す。図１７では、入力画像にモノクロ画像５とカラー画像６が配置されている。
【０１０２】
次に、Ｓ５２にて、モノクロ領域検出部３１８が、入力画像の領域からモノクロ領域を検出する。例えば、Ｓ５１で取得された入力画像データが図１７の入力画像を表す場合には、モノクロ画像５の領域がモノクロ領域として検出される。モノクロ領域検出部３１８は、検出したモノクロ領域を示すモノクロ領域情報をフレーム分割部３１７に出力する。Ｓ５１で取得された入力画像データが図１７の入力画像を表す場合には、例えば、配置位置（ｘ５，ｙ５）と領域サイズ（水平サイズ（幅），垂直サイズ（高さ））＝（ｗ５，ｈ５）の組み合わせがモノクロ領域情報として出力される。
【０１０３】
そして、Ｓ５３にて、フレーム分割部３１７が、Ｓ５２の検出結果に基づいて、入力画像データから第１画像データと第２画像データを生成する。そして、フレーム分割部３１
７は、第１画像データと第２画像データをその順番で階調補正部３１４とフレーム判定部３１２に出力する。即ち、奇数フレームで第１画像データが出力され、偶数フレームで第２画像データが出力される。本実施例でも、奇数フレームは奇数番目のサブフレームであり、偶数フレームは偶数番目のサブフレームである。
【０１０４】
本実施例に係る第１画像データと第２画像データの生成方法の一例について説明する。
まず、フレーム分割部３１７は、Ｓ５１で取得された１フレーム分の入力画像データを複製することにより、２サブフレーム分の入力画像データ（第１入力画像データと第２入力画像データ）を生成する。
次に、フレーム分割部３１７は、第１入力画像データの複数の画素値のうち、モノクロ領域以外の画像領域の画素値を黒値に置き変える。それにより、第１画像データが生成される。図１８（Ａ）は、本実施例に係る上記方法で生成された第１画像データが示す第１全体画像の一例を示す。図１８（Ａ）では、始点座標が（ｘ５，ｙ５）であり且つ終点座標が（ｘ５＋ｗ５，ｙ５＋ｈ５）である画像領域（モノクロ画像５の領域）以外の画像領域９００が黒色で塗りつぶされている。即ち、図１８（Ａ）の第１全体画像には、モノクロ画像５のみが配置されている。
そして、フレーム分割部３１７は、第２入力画像データの複数の画素値のうち、モノクロ領域の画素値を黒値に置き変える。それにより、第２画像データが生成される。図１８（Ｂ）は、本実施例に係る上記方法で生成された第２画像データが示す第２全体画像の一例を示す。図１８（Ｂ）では、始点座標が（ｘ５，ｙ５）であり且つ終点座標が（ｘ５＋ｗ５，ｙ５＋ｈ５）である画像領域９０１（モノクロ画像５の領域）が黒色で塗りつぶされている。
【０１０５】
Ｓ５３の次に、Ｓ５４にて、フレーム判定部３１２が、現在のフレーム（サブフレーム）が奇数フレームであるか偶数フレームであるかを判定する。現在のサブフレームが奇数フレームである場合には、フレーム判定部３１２は、現在のサブフレームの未処理画像データ（フレーム分割部３１７から出力された画像データ）が第１画像データであると判定する。そして、Ｓ５５に処理が進められる。現在のサブフレームが偶数フレームである場合には、フレーム判定部３１２は、現在のサブフレームの未処理画像データが第２画像データであると判定する。そして、Ｓ５６に処理が進められる。
【０１０６】
Ｓ５５では、補正パラメータ決定部３１３が、補正パラメータとして第１ＬＵＴを選択する。その後、Ｓ５７に処理が進められる。
Ｓ５６では、補正パラメータ決定部３１３が、補正パラメータとして第２ＬＵＴを選択する。その後、Ｓ５７に処理が進められる。
Ｓ５７では、階調補正部３１４が、Ｓ５５またはＳ５６で選択されたＬＵＴを用いた階調変換処理を、現在のサブフレームの未処理画像データに施す。それにより、処理画像データが生成される。
【０１０７】
例えば、現在のサブフレームが奇数フレームである場合には、現在のサブフレームの未処理画像データは第１画像データである。そのため、その場合には、Ｓ５４からＳ５５に処理が進められ、Ｓ５５で第１ＬＵＴが選択される。そして、Ｓ５７で、第１ＬＵＴを用いた階調変換処理が第１画像データに施されることにより、第１処理画像データが生成される。現在のサブフレームが偶数フレームである場合には、現在のサブフレームの未処理画像データは第２画像データである。そのため、その場合には、Ｓ５４からＳ５６に処理が進められ、Ｓ５６で第２ＬＵＴが選択される。そして、Ｓ５７で、第２ＬＵＴを用いた階調変換処理が第２画像データに施されることにより、第２処理画像データが生成される。
【０１０８】
Ｓ５４〜Ｓ５７の処理は、サブフレーム毎に行われる。そして、第１画像データ（奇数
フレーム）に対するＳ５４〜Ｓ５７の処理と、第２画像データ（偶数フレーム）に対するＳ５４〜Ｓ５７の処理と、が行われると、Ｓ５８に処理が進められる。
【０１０９】
Ｓ５８では、画像合成部３１５が、Ｓ５７で生成された第１処理画像データと第２処理画像データを合成することにより、合成画像データを生成する。合成画像データの生成方法は実施例１，２と同じである。図１９は、本実施例に係る合成画像の一例を示す。図１９から、モノクロ画像５とカラー画像６が配置されていることがわかる。図１９において、画像領域に記載の数値は、階調値である。画像領域９２０はモノクロ画像５の一部の領域であり、画像領域９７０はカラー画像６の一部の領域である。図示されていないが、画像領域９２０と画像領域９７０では、階調変換処理が施される前の階調値は互いに等しい。図１９から、画像領域９２０に対して、階調変換処理が施された後の階調値として５０が割り当てられていることがわかる。そして、画像領域９７０に対して、階調変換処理が施された後の階調値として、画像領域９２０の階調値とは異なる階調値８０が割り当てられていることがわかる。そのため、図１９から、モノクロ画像５の領域とカラー画像６の領域とで異なる階調変換処理が行われていることがわかる。
【０１１０】
次に、Ｓ５９にて、表示部３１６が、Ｓ５８で生成された合成画像データに基づく画像を表示する。それにより、第１ＬＵＴを用いた階調補正処理が施された後のモノクロ画像５と、第２ＬＵＴを用いた階調補正処理が施された後のカラー画像６と、が同時に表示される。
【０１１１】
（効果）
以上説明したように、本実施例によれば、第１画像データから第１処理画像データを生成する第１画像処理と、第２画像データから第２処理画像データを生成する第２画像処理と、が順に行われる。そして、第１処理画像データと第２処理画像データを合成することにより合成画像データが生成される。それにより、複数の画像領域にそれぞれ複数の画像処理（互いに異なる複数の画像処理）を施した画像データを簡易な構成で得ることができる。
【０１１２】
また、本実施例では、画像処理（階調変換処理）が画像表示装置で行われる。それにより、階調変換処理後の画像データが画像出力装置から画像表示装置に伝送される際に生じるビット落ち等に起因した画質の劣化（表示輝度の誤差の増大）を抑制することができる。ひいては、高画質の表示画像を得ることができる。
【０１１３】
また、本実施例では、複数の未処理画像データが画像表示装置（画像処理装置）で生成されるため、画像出力装置が複数の未処理画像データを生成する必要はない。そのため、画像出力装置の処理負荷を低減することができる。
【０１１４】
また、本実施例では、付加情報を使用せずに、モノクロ領域とカラー領域の少なくとも一方の検出結果に基づいて、第１画像データと第２画像データが生成されるため、画像出力装置から画像表示装置（画像処理装置）に付加情報を伝送する必要はない。そのため、画像出力装置の処理負荷を低減することができる。
【０１１５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１６】
１１０，２１０，３１０：画像表示装置  １１１：画像データ入力部
１１４，２１４，３１４：階調補正部  １１５，２１５，３１５：画像合成部
２１７，３１７：フレーム分割部
【図１】
2016130936.tif 000003
【図２】
2016130936.tif 000004
【図３】
2016130936.tif 000005
【図４】
2016130936.tif 000006
【図５】
2016130936.tif 000007
【図６】
2016130936.tif 000008
【図７】
2016130936.tif 000009
【図８】
2016130936.tif 000010
【図９】
2016130936.tif 000011
【図１０】
2016130936.tif 000012
【図１１】
2016130936.tif 000013
【図１２】
2016130936.tif 000014
【図１３】
2016130936.tif 000015
【図１４】
2016130936.tif 000016
【図１５】
2016130936.tif 000017
【図１６】
2016130936.tif 000018
【図１７】
2016130936.tif 000019
【図１８】
2016130936.tif 000020
【図１９】
2016130936.tif 000021